(57)【要約】【課題】  電源を切る前のマナーモードのオン／オフ設定状態を忘れてしまったとしても、電源を入れた際に、着信音により周囲の者に迷惑が掛からないようにする。【解決手段】  マナーキーの押下により着信音を鳴らさないようにするマナーモードの設定が可能な携帯電話端末であり、ステップＳ１にて電源キー押下によりＯＳの起動が開始した時、その電源キーの押下と略々同時にマナーキーの押下がなされたならば（ステップＳ３にてＹｅｓのとき）、ステップＳ６の待ち受けモードへの移行に先立ち、ステップＳ４にてマナーモードをオンに設定する。【選択図】  図３
2006101417.tif 000002
【特許請求の範囲】
【請求項１】
使用者へ所定の報知を行うための報知手段と、
上記報知手段の機能をオン／オフ設定する設定手段と、
使用者からの指示が入力される操作入力手段と、
上記操作入力手段から電源の立ち上げの指示入力信号が出力されるのと略々同時に、上記操作入力手段から使用者の所定の操作による指示入力信号が供給されたとき、上記設定手段を制御して上記報知手段の機能をオフ設定させた状態で、当該装置を起動させる制御手段とを有する
ことを特徴とする報知機能付き電子装置。
【請求項２】
請求項１記載の報知機能付き電子装置であって、
上記報知手段は、所定の報知形態とそれ以外の報知形態の複数の報知形態により使用者への報知を行う機能を有し、
上記制御手段は、  上記操作入力手段から電源の立ち上げの指示入力信号が出力されるのと略々同時に、上記操作入力手段から使用者の所定の操作による指示入力信号が供給されたとき、上記設定手段を制御して上記所定の報知形態による報知機能をオフ設定させた状態で、当該装置を起動させる
ことを特徴とする報知機能付き電子装置。
【請求項３】
請求項２記載の報知機能付き電子装置であって、
上記所定の報知形態は、報知音を出力する報知形態である
ことを特徴とする報知機能付き電子装置。
【請求項４】
請求項１記載の報知機能付き電子装置であって、
所定の情報を提供するサーバと少なくとも通信するための通信手段と、
情報を表示する画面を備えた表示手段とを有し、
上記制御手段は、上記報知手段の機能をオフ設定させた状態で当該装置を起動させた後、上記通信手段を介して上記サーバにアクセスして上記所定の情報の有無を調査し、上記所定の情報が有るときには当該情報を上記サーバから取得し、その情報を上記表示手段の画面上に表示させる
ことを特徴とする報知機能付き電子装置。
【請求項５】
請求項４記載の報知機能付き電子装置であって、
時間を計測する時間計測手段を有し、
上記制御手段は、上記報知手段の機能をオフ設定させた状態で当該装置を起動させた後、上記時間計測手段が計測する所定時間内に、上記操作入力手段から使用者の他の所定操作による指示入力信号が供給されたとき、当該装置の電源を切る
ことを特徴とする報知機能付き電子装置。
【請求項６】
請求項１記載の報知機能付き電子装置であって、
携帯電話システムに接続するための通信手段と、
少なくとも通話のための通話手段とを有する
ことを特徴とする報知機能付き電子装置。
【請求項７】
使用者へ所定の報知を行うための報知手段と、
上記報知手段の機能をオン／オフ設定する設定手段と、
時間を計測する時間計測手段と、
所定の情報を提供するサーバと少なくとも通信するための通信手段と、
情報を表示する画面を備えた表示手段と、
上記時間計測手段が計測する所定時間若しくは所定周期毎に、上記報知手段の機能をオフ設定させた状態で当該装置を起動させた後、上記通信手段を介して上記サーバにアクセスして上記所定の情報の有無を調査し、上記所定の情報が有るときには当該情報を上記サーバから取得し、その情報を上記表示手段の画面上に表示させた後、当該装置の電源を切る制御手段とを有する
ことを特徴とする報知機能付き電子装置。
【発明の詳細な説明】
【技術分野】
【０００１】
本発明は、例えば携帯電話端末の着信音のような報知を行う機能とその報知機能をオン／オフ設定する機能とを備えた電子機器に関する。
【背景技術】
【０００２】
近年、携帯電話端末は広く普及しており、誰もが常に携帯している状況にある。
【０００３】
また、携帯電話端末は、通話のみならず電子メールの送受信のように、各ユーザ間のコミュニケーションに欠かせないものとなりつつあり、その使用頻度は益々高まる傾向にある。
【０００４】
さらに、携帯電話端末は、通話エリア内であれば何時いかなる場所でも通話やメール送受信が可能であるため、例えば緊急な要件を伝える場合などに非常に有用であり、各ユーザにとって無くてはならない重要な機器となっている。
【０００５】
また従来より、携帯電話端末は、いわゆるマナーモードの設定が可能となされている。このマナーモードは、着信があっても着信報知用の音（着信音）が出ないようにするためのモードであり、一般的には、例えば電車の乗車中や仕事中のように、着信音が鳴り響くことで周囲に迷惑を掛けることを避けたい環境で当該携帯電話端末を使用する際にオン設定されるモードである。
【０００６】
なお、当該マナーモードの設定は、携帯電話端末の電源が切られても保存される。
【０００７】
また従来より、携帯電話端末は、マナーモードがオンに設定されている時の着信をユーザに報知するための設定として、着信ＬＥＤ（Light Emitting Diode）を点滅させたり、バイブレータを振動させたりする設定も可能となっている。例えば着信ＬＥＤの点滅のみにて着信を報知するような設定（着信音もバイブレータも使用しない設定）は、特に、サイレントモードとも呼ばれている。
【０００８】
また一般に、マナーモードの設定がオンとなされている場合、着信待ち受け時の携帯電話端末のディスプレイ画面（いわゆる着信待ち受け画面）上には、当該マナーモードのオン設定を表すアイコンが表示される。
【０００９】
したがって、ユーザは、当該着信待ち受け画面上のアイコンの有無等を確認することにより、マナーモードの設定が現在どのようになされているのかを知ることができる。
【００１０】
その他、特開２００４−６４５６２号の公開特許公報（特許文献１）には、発信側端末から着信側端末への発信時に、着信側端末における着信の通知方式を指定可能な情報を発信し、着信側端末においてユーザがマナーモードへの設定をし忘れているような場合であっても着信音が鳴らないようにできる技術が開示されている。
【００１１】
【特許文献１】特開２００４−６４５６２号公報（第１図）
【発明の開示】
【発明が解決しようとする課題】
【００１２】
ところで、例えば携帯電話端末の電源を切った後に、マナーモードの設定をどのようにしたのかを忘れてしまったような場合、ユーザは、電源キーを押して当該携帯電話端末を起動させ、ディスプレイ画面上に着信待ち受け画面が表示されるのを待ち、その着信待ち受け画面上でマナーモードの設定状態を確認（例えばマナーモードのアイコンの有無等を確認）するまでは、マナーモードの設定がどのようになされていたのかを知ることができない。
【００１３】
このため、例えばマナーモードの設定がオフの状態で携帯電話端末の電源が切られ、その後、ユーザがマナーモードの設定を忘れてしまっている状態で当該携帯電話端末の電源を入れたような場合において、直ぐに着信があったりすると、着信音が周囲に鳴り響くことになる。
【００１４】
特に、電源を入れた後の携帯電話端末は、携帯電話ネットワークに接続して位置登録を行うと共に、電源が切られていた間に自端末宛てに送られてサーバに蓄積されている電子メール等がある場合にはその電子メール等を受け取ることになり、このため、上述のように電源を入れた直後に着信を受けるという状況が発生し易い。
【００１５】
したがって、当該携帯電話端末の電源を入れた時の周囲の環境が、例えば、電車の乗車中や仕事中のように無闇に音を出すべきでない環境であった場合、当該着信音により周囲へ迷惑を掛けてしまうことになる。
【００１６】
本発明は、このような実情に鑑みて提案されたものであり、携帯電話端末の着信音のような報知機能と携帯電話端末のマナーモードオン／オフ設定のような報知オン／オフ設定機能とを備えた電子機器において、電源を切る前の報知オン／オフ設定状態が如何なる設定になされていたとしても、電源を入れた際に、報知機能の動作により周囲の者に迷惑を掛けてしまわない設定にすることを可能とする、報知機能付き電子機器を提供することを目的とする。
【課題を解決するための手段】
【００１７】
本発明の報知機能付き電子装置は、使用者へ所定の報知を行うための報知手段と、報知機能をオン／オフ設定する設定手段と、使用者からの指示が入力される操作入力手段と、操作入力手段から電源の立ち上げの指示入力信号が出力されるのと略々同時に、操作入力手段から使用者の所定の操作による指示入力信号が供給されたとき、設定手段を制御して報知機能をオフ設定させた状態で、当該装置を起動させる制御手段とを有することにより、上述した課題を解決する。
【００１８】
すなわち、本発明によれば、電源の立ち上げと略々同時に所定の操作がなされたとき、報知機能をオフ設定させた状態で当該装置を起動させるため、起動前に報知機能がどのように設定されているかによらず、起動時には必ず報知機能をオフにすることができる。
【発明の効果】
【００１９】
本発明によれば、電源の立ち上げと略々同時に所定の操作がなされたとき、報知機能をオフ設定させた状態で当該装置を起動させることにより、例えば携帯電話端末の着信音のような報知機能と携帯電話端末のマナーモードオン／オフ設定のような報知オン／オフ設定機能とを備えた電子機器において、電源を切る前の報知オン／オフ設定状態が如何なる設定になされていたとしても、電源を入れた際に、報知機能の動作により周囲の者に迷惑を掛けてしまわない設定にすることが可能である。
【発明を実施するための最良の形態】
【００２０】
以下、図面を参照しながら、本発明の報知機能付き電子機器の一実施形態について説明する。
【００２１】
なお、本実施形態では、本発明の報知機能付き電子機器の一例として携帯電話端末を挙げているが、勿論、ここで説明する内容はあくまで一例であり、本発明はこの例に限定されないことは言うまでもない。
【００２２】
〔携帯電話端末の概略的な外観構成〕
図１には、本発明実施形態の携帯電話端末の外観を示す。
【００２３】
なお、図１は、本発明実施形態の携帯電話端末を正面側から観た概略外観図を示している。
【００２４】
本実施の形態の携帯電話端末は、例えば第１の筐体１と第２の筐体２を有し、ヒンジ部（連結手段）６を介して第１の筐体１と第２の筐体２が折り重なるように二つ折り可能になされた、いわゆる折り畳み式の携帯電話端末であり、図１は当該携帯電話端末を開いた状態を示している。
【００２５】
すなわち本実施形態の携帯電話端末は、第１の筐体１と第２の筐体がヒンジ部６により連結され、そのヒンジ部６を介して各筐体間の位置関係を変更可能となされた端末である。
【００２６】
図１に示すように、第１の筐体１には、例えば液晶デバイスにより構成されたメインディスプレイ３や受話用のスピーカ５等が備えられている。
【００２７】
なお、図示は省略するが、第１の筐体１の背面側には、液晶デバイスにより構成されたサブディスプレイや、カメラ部、当該カメラ部にて撮影を行う際の撮影補助光を発光する撮影補助ライト用ＬＥＤ等が備えられている。
【００２８】
一方、第２の筐体２には、携帯電話端末の主要な回路構成が内蔵されている。
【００２９】
この第２の筐体２の上面（折り畳んだ際に第１の筐体１のメインディスプレイ３面と対向する面）には、電話番号や文字等を入力するためのキーボタンであるテンキー（１２キー）４や、発話キー１０、クリアキー、終話／電源キー９、マナーモードのオン／オフ設定に用いられるマナーキー１１、メモキー１２などの各キー、ジョグダイアル部８等からなる操作部と、送話用のマイクロホン７等が設けられている。
【００３０】
なお、携帯電話端末が通常備えているその他の構成の図示及びその説明については省略する。
【００３１】
〔携帯電話端末の概略的な内部構成〕
図２には、本実施形態の携帯電話端末の概略的な内部構成を示す。
【００３２】
アンテナ２２は、例えば内蔵アンテナであり通話やパケット通信のための信号電波の送受信を行う。通信回路２３は、送受信信号の周波数変換、変調と復調等を行う。
【００３３】
なお、パケット通信により送受信されるデータは、画像データや電子メール、プログラムデータ、その他の各種データである。
【００３４】
受信された通話音声のデータは、データラインを介して制御部２１へ送られる。制御部２１は、ＣＰＵ（中央処理装置）からなり、通話音声データを復号化し、その復号化後の音声データをデータラインを介してスピーカ２９へ送る。
【００３５】
スピーカ２９は、前述した受話用のスピーカ５やリンガ（着信音）用のスピーカに相当し、ディジタル／アナログ変換器と増幅器を含み、通話音声やリンガ音のデータをディジタル／アナログ変換及び増幅した後、出力する。これにより、通話音声やリンガ音が得られることになる。
【００３６】
マイクロホン３０は、送話用のマイクロホン７に相当し、アナログ／ディジタル変換器と増幅器を含む。
【００３７】
このマイクロホン３０を介して入力された通話音声信号は、増幅器により所定のレベルに増幅された後、アナログ／ディジタル変換器によりディジタル音声データに変換され、データラインを介して上記制御部２１へ送られて符号化された後、通信回路２３へ送られる。
【００３８】
カメラ部３１は、光学レンズや撮像素子等からなり、制御部２１による制御の元で静止画や動画の撮影を行う。
【００３９】
表示制御部２６は、第１の筐体１のディスプレイ３やサブディスプレイである表示部２５の表示を制御する。
【００４０】
操作部２７は、上記第２の筐体２に設けられているテンキー４や、発話キー１０、クリアキー、終話／電源キー９、マナーキー１１、メモキー１２などの各キー、ジョグダイアル部８等と、それら各キー等の操作に応じた操作信号を発生する操作信号発生部を有している。
【００４１】
バイブレータ３２は、例えばモータの回転軸に対して偏芯した位置に錘を備えており、制御部２１による制御の元、当該モータの回転により振動を発生する。
【００４２】
タイマ２８は、年月日時等の情報を発生する時計機能や、所定時間周期を計測する機能、ユーザ所望の時刻や周期を設定する機能を備えている。
【００４３】
ＬＥＤ部３３は、着信ＬＥＤやカメラ撮影時の補助ライト用ＬＥＤ、表示部２５のバックライト用ＬＥＤ、各キーの照明用ＬＥＤと、各ＬＥＤの駆動回路とからなる。
【００４４】
バッテリ３５は、例えば着脱可能な二次電池であり、パワーマネージメントＩＣ３４は、バッテリ３５からの電力を各部へ供給する。
【００４５】
メモリ２４は、ＲＯＭ（Read Only Memory）と、ＲＡＭ（Random Access Memory）を含む。
【００４６】
ＲＯＭは、ＯＳ（Operating System）、制御部２１が各部を制御するための制御プログラムや各種の初期設定値、フォントデータ、辞書データ、本実施形態の後述するマナーモードの設定制御等を行うためのプログラムコード、電子メールの作成や編集等を行うためのアプリケーション用のプログラムコード、画像に対して様々な処理を行うためのアプリケーション用プログラムコード、その他、携帯電話端末に搭載される各種のアプリケーション用のプログラムコード、当該携帯電話端末の識別情報（ＩＤ）などを記憶している。このＲＯＭは、ＥＥＰＲＯＭ（Electrically Erasable Programmable Read-Only Memory）のような書き換え可能なＲＯＭを含み、電子メールデータ、ユーザにより設定される電話帳や電子メールアドレス、カメラ部３１１により撮影された写真画像データ、ダウンロードされた写真データや着信音データ、文字データや予測変換の候補単語の登録データや予測変換の学習データ、本実施形態の後述するマナーモード等の各種のモード設定値、その他、各種のユーザ設定値等を保存することも可能となされている。
【００４７】
ＲＡＭは、制御部２１が各種のデータ処理を行う際の作業領域として、随時データを格納する。
【００４８】
制御部２１は、上述した通話音声データの符号化や復号化の他、発着信の制御や、着信時の報知制御の他、制御ラインを介して当該携帯電話端末の各構成要素の制御、各種の演算処理を行う。特に、本実施形態の場合、制御部２１は、マナーモードの設定状態に応じて、着信音の出力や着信ＬＥＤの発光、バイブレータの動作を制御する。
【００４９】
その他、図２には図示を省略しているが、本実施形態の携帯電話端末は、音楽の録音や再生、動画像の録画や再生を行うための記録再生部、ブラウザ機能、外部ケーブル用コネクタ、外部リモートコントローラの接続コネクタ、携帯電話端末の現在位置を検出するための測位デバイスであるＧＰＳ（Global Positioning System）通信部とそのアンテナなどを備えている。
【００５０】
〔電源投入時におけるマナーモード遷移動作〕
ここで、本実施形態の携帯電話端末は、電源を入れる際に、ユーザによるマナーキー１１の押下操作と終話／電源キー９の押下操作が同時間内に行われた場合には、電源が切られる前のマナーモードが何れに設定されていたかによらず、必ずマナーモードがオンの設定状態で起動し、その後に、着信待ち受け状態に移行する機能を備えている。
【００５１】
図３には、本実施形態の携帯電話端末において、電源を入れる際に、ユーザがマナーキー１１を押しながら終話／電源キー９（以下、単に電源キー９とする）を押した場合の制御部２１の動作の流れを示す。
【００５２】
この図３に示すフローチャートにおいて、携帯電話端末は、電源が切られている状態の時は、常に電源キー９の状態を電気的に検出しており、電源キー９が押下されて所定の電気的状態になると、ステップＳ１のように、ＯＳが起動するようになされている。
【００５３】
ステップＳ１にて電源キー９の押下操作によりＯＳが起動して制御部２１が動作を開始すると、当該制御部２１は、先ず、ステップＳ２として、操作部２７のキー操作を検出可能な状態に移行する。
【００５４】
そして、制御部２１は、ステップＳ３として、電源キー９の押下操作とマナーキー１１の押下操作が同時間内に行われたか否か、すなわち例えば、電源キー９の押下操作が継続されている状態（いわゆる長押し）でマナーキー１１が押下操作されたか否か、或いは、マナーキー１１の押下操作がなされている状態で電源キー９が押下操作されたか否かを判断する。
【００５５】
このステップＳ３の判断処理において、制御部２１は、電源キー９の押下操作とマナーキー１１の押下操作が同時間内に行われたと判断した場合にはステップＳ４へ処理を進め、そうでない場合にはステップＳ５へ処理を進める。
【００５６】
ステップＳ４の処理に進むと、制御部２１は、電源が切られる前のマナーモードが何れに設定されていたかによらず、必ずマナーモードがオン状態になるように設定を行った後、当該携帯電話端末の状態をステップＳ５にて着信待ち受けモードへ移行させる。
【００５７】
なお、このときのマナーモードは、サイレントモードであることが望ましいが、必ずしもそれには限定されず、バイブレータ３２については振動させる設定であっても良い。
【００５８】
一方、ステップＳ５の処理に進んだ場合、制御部２１は、電源が切られる前にマナーモードが何れに設定されていたかを判定し、マナーモードがオンに設定されていた場合には、ステップＳ４にて、当該携帯電話端末の状態を既に設定済みとなっているマナーモードオンの状態に移行させ、一方、マナーモードがオフに設定されていた場合には、ステップＳ６にて当該携帯電話端末の状態をそのまま着信待ち受けモードに移行させる。
【００５９】
以上説明したように、本実施形態の携帯電話端末においては、電源を入れる際に、ユーザがマナーキー１１の押下操作と電源キー９の押下操作を同時間内に行った場合には、電源が切られる前のマナーモードが何れに設定されていたかによらず、必ずマナーモードがオンの設定状態で起動し、その後に、着信待ち受け状態に移行するようになされているため、当該携帯電話端末の電源を入れた後に着信があった場合に、着信音が鳴り響いてしまうような状況の発生を防止することができる。
【００６０】
すなわち本実施形態によれば、電源投入時に、マナーキー１１の押下操作と電源キー９の押下操作が同時間内に行われた場合、着信待ち受け状態になる前、言い換えると着信が可能な状態になる前に、マナーモードがオンに設定されるため、携帯電話端末への電源投入後に着信があっても、着信音により周囲に迷惑を掛けてしまうような事態になることはない。
【００６１】
なお、上述の説明では、マナーキー１１の押下操作と電源キー９の押下操作が同時間内に行われた場合に必ずマナーモードのオン設定がなされる例を挙げたが、例えば、電源を入れる際に、マナーキー１１のいわゆる長押しのみにより、電源投入とマナーモードオンへの移行を行うような設定であっても良い。
【００６２】
但し、マナーキー１１の長押しにより、携帯電話端末の電源が切れるような設定にまですることは、内部構成の大幅な変更を伴うため好ましくない。
【００６３】
〔マナーキーと電源キーの同時間内押下操作による他の動作例〕
本実施形態の携帯電話端末は、上記マナーキー１１の押下操作と電源キー９の押下操作が同時間内に行われた場合、携帯電話システム上に設置されている着信管理サーバに自動的にアクセスし、その着信管理サーバ内に自端末宛ての電子メール着信や自端末宛ての発呼についての着信履歴が残っているかどうかを調査し、着信管理サーバに着信履歴が残っていたときにはその着信履歴を取得してディスプレイ等に表示することでユーザに通知した後、着信待ち受けモードに移行するか、若しくは、電源を切るような機能を備えていても良い。
【００６４】
図４には、マナーキー１１と電源キー９の同時間内押下操作に応じて着信管理サーバにアクセスし、着信履歴の調査を行う際の、制御部２１の動作の流れを示す。なお、当該図４のフローチャートは、前述の図３のフローチャートのステップＳ４の直後に行われる処理である。
【００６５】
この図４に示すフローチャートにおいて、制御部２１は、図３のステップＳ４の処理の後、ステップＳ１１の処理として、携帯電話システム上に設けられている着信管理サーバへアクセスし、次いでステップＳ１２の処理として、その着信管理サーバ内に自端末宛ての着信履歴が残っているか調査を行う。
【００６６】
そして、制御部２１は、ステップＳ１３の判断処理として、着信履歴が残っていると判断した時にはステップＳ１４へ処理を進め、残っていないと判断した時にはステップＳ１５へ処理を進める。
【００６７】
ステップＳ１４の処理に進むと、制御部２１は、着信管理サーバから自端末宛ての着信履歴の情報を取得し、表示部２５のディスプレイ上にその履歴を表示させることでユーザに着信があったことを通知する。
【００６８】
一方、ステップＳ１５の処理に進むと、上記制御部２１は、着信履歴無しのメッセージを表示部２５のディスプレイ上に表示させることでユーザに着信が無かったことを通知する。
【００６９】
次に、制御部２１は、ステップＳ１６へ処理を進め、タイマ２８からの時間情報を元に、上記マナーキー１１と電源キー９の同時間内押下操作が行われてから所定時間内に、例えば電源キー９の押下操作等の所定の操作がユーザによりなされたか否か判断する。
【００７０】
そして、所定時間内に所定の操作が行われたと判断した場合、制御部２１は、ステップＳ１７の処理として、パワーマネージメントＩＣ３４を制御して当該携帯電話端末の電源をオフにさせる。
【００７１】
一方、ステップＳ１６にて、所定時間内に所定の操作が行われなかったと判断した場合、制御部２１は、この図４のフローチャートの処理を終了し、図３のステップＳ６へ処理を進めて着信待ち受けモードへ移行する。
【００７２】
なお、この例では、図４のフローチャートの処理が図３のステップＳ６の前に行われるとして説明したが、図３のステップＳ６の処理内、或いは図３のステップＳ６の処理後に、当該図４のフローチャートの処理を行うようにしても良い。
【００７３】
以上説明したように、本実施形態の携帯電話端末においては、ユーザがマナーキー１１の押下操作と電源キー９の押下操作を同時間内に行った場合には、マナーモードがオンの状態で着信管理サーバから着信履歴を取得するようになされているため、着信音によって周囲に迷惑を掛けることなく、電源が切られていた間の着信履歴をユーザに通知することができる。
【００７４】
〔着信履歴を取得するための他の動作例〕
本実施形態の携帯電話端末は、マナーキー１１の押下操作や電源キー９の押下操作を必要とせず、携帯電話システム上に設置されている着信管理サーバに自動的にアクセスして自端末宛て着信履歴の調査を行う機能を備えていても良い。
【００７５】
図５には、マナーキー９と電源キー１１の同時間内押下操作を必要とせずに、着信管理サーバにアクセスして着信履歴の調査を行う際の、制御部２１の動作の流れを示す。
【００７６】
この例の場合の携帯電話端末は、電源が切られている状態であってもタイマ２８は動作しており、ステップＳ２１のように、当該タイマ２８にて設定された時間或いは周期が検出されている。
【００７７】
そして、設定時間になったとき、本実施形態の携帯電話端末は、ステップＳ２２のように、自動的に電源が投入され、マナーモードで起動する。
【００７８】
次に、制御部２１は、ステップＳ２３の処理として、着信管理サーバへアクセスし、さらにステップＳ２４の処理として、その着信管理サーバ内に自端末宛ての着信履歴が残っているか調査を行う。
【００７９】
そして、制御部２１は、ステップＳ２５の判断処理として、着信履歴が残っていると判断した時にはステップＳ２６へ処理を進め、残っていないと判断した時にはステップＳ２７へ処理を進める。
【００８０】
ステップＳ２６の処理に進むと、制御部２１は、着信管理サーバから自端末宛ての着信履歴の情報を取得し、表示部２５の例えばサブディスプレイ上に履歴が有ったことを表すアイコン（着信マーク）を表示させることでユーザに着信があったことを通知する。なお、この表示の際、サブディスプレイのバックライト用ＬＥＤは必ずしも点灯させる必要はない。
【００８１】
すなわちバックライト用ＬＥＤを点灯させないことで、バッテリ３５の消耗を少なくし、電源投入後の待ち受け可能な日数を延ばすことが可能となる。
【００８２】
その後、ステップＳ２７の処理に進むと、制御部２１は、パワーマネージメントＩＣ３４を制御して当該携帯電話端末の電源をオフにさせる。
【００８３】
以上説明したように、本実施形態の携帯電話端末においては、設定時間若しくは設定周期で自動的にマナーモードで起動し、その状態で着信管理サーバから着信履歴を取得するようになされているため、着信音によって周囲に迷惑を掛けることなく、電源が切られていた間の着信履歴を自動的にユーザに通知することができる。
【００８４】
なお、上述した各実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００８５】
本発明は、携帯電話端末に限定されず、報知機能とその報知機能をオン／オフ設定する機能とを備えた様々な電子機器に適用可能である。
【図面の簡単な説明】
【００８６】
【図１】本発明実施形態の携帯電話端末の概略的な外観図である。
【図２】本発明実施形態の携帯電話端末の概略的な内部回路構成を示すブロック図である。
【図３】本実施形態の携帯電話端末において、電源を入れる際に、ユーザがマナーキーを押しながら電源キーを押した場合の、制御部の動作の流れを示すフローチャートである。
【図４】本実施形態の携帯電話端末において、マナーキーと電源キーの同時間内押下操作に応じて着信管理サーバにアクセスし、着信履歴の調査を行う際の制御部の動作の流れを示すフローチャートである。
【図５】本実施形態の携帯電話端末において、マナーキーと電源キーの同時間内押下操作を必要とせずに、着信管理サーバにアクセスして着信履歴の調査を行う際の制御部の動作の流れを示すフローチャートである。
【符号の説明】
【００８７】
１  第１の筐体、２  第２の筐体、３  メインディスプレイ、４  テンキー、５，２９  スピーカ、６  ヒンジ部、７，３０  マイクロホン、８  ジョグダイアル部、９  終話／電源キー、１０  発話キー、１１  マナーキー、１２  メモキー、２１  制御部、２２  アンテナ、２３  通信回路、２４  メモリ、２５  表示部、２６  表示制御部、２７  操作部、２８  タイマ、３１  カメラ部、３２  バイブレータ、３３  ＬＥＤ部、３４  パワーマネージメントＩＣ、３５  バッテリ
【図１】
2006101417.tif 000003
【図２】
2006101417.tif 000004
【図３】
2006101417.tif 000005
【図４】
2006101417.tif 000006
【図５】
2006101417.tif 000007